(57)【特許請求の範囲】
【請求項１】
電子連動装置からの伝送路を介した制御指令により、信号機、転てつ機等の現場機器を制御する信号保安システムの試験装置において、上記伝送路を模擬する伝送路模擬手段と、該伝送路模擬手段を介した上記電子連動装置からの制御指令に基づいて上記現場機器の模擬状態を生成する現場機器模擬手段とを備え、上記伝送路に接続された既設現場機器と上記伝送路に接続予定の未設現場機器との２種の現場機器を種別毎に適宜選択した組み合わせを上記現場機器模擬手段で模擬させることにより複数の試験モードを備え、
該複数の試験モードの１つを、上記既設現場機器を上記伝送路を介した上記電子連動装置からの制御指令により動作させ、上記未設現場機器のみを上記現場機器模擬手段にて模擬させた事前動作確認試験を行う試験モードとしたことを特徴とする信号保安システムの試験装置。
【請求項２】
上記事前動作確認試験を行う試験モードを第２の試験モードとし、
上記既設現場機器と上記未設現場機器とを上記現場機器模擬手段で模擬させ、上記未設現場機器を接続するための事前整合性確認試験を行う第１の試験モードと、上記未設現場機器を上記伝送路に接続して、該未設現場機器と上記既設現場機器とを上記伝送路を介した上記電子連動装置からの制御指令により動作させ、上記未設現場機器を接続した最終動作確認試験を行う第３の試験モードとを備えたことを特徴とする請求項１記載の信号保安システムの試験装置。
【請求項３】
上記事前動作確認試験を行う試験モードを、上記未設現場機器を接続するための事前整合性確認を含む事前動作確認試験を行う第１の試験モードとし、
上記未設現場機器を上記伝送路に接続して、該未設現場機器と上記既設現場機器とを上記伝送路を介した上記電子連動装置からの制御指令により動作させ、上記未設現場機器を接続した最終動作確認試験を行う第２の試験モードを備えたことを特徴とする請求項１記載の信号保安システムの試験装置。
【請求項４】
上記複数の試験モードを組み合わせて、試験モードの若い番号順に複数回の試験を行うことを特徴とする請求項２または３に記載の信号保安システムの試験装置。
【発明の詳細な説明】
【０００１】
【発明の属する技術分野】
この発明は、鉄道の駅構内における信号機、転てつ機等の現場機器の制御を電子連動装置を用いて行う信号保安システムの試験装置に関するものである。
【０００２】
【従来の技術】
鉄道においては、信号機、転てつ機、軌道回路等の現場機器が相互に関連づけられて駅構内の全体的な安全が確保される。そのような関連づけを行い、駅構内の安全を確保するシステムとして信号保安システムがある。
図７は、駅構内の信号保安システムの構成を示すブロック図である。電子連動装置１は、駅構内において列車の安全運転を行うために、現場機器である信号機７、転てつ機８、軌道回路９等の制御操作を行うものである。電子連動装置１からの制御指令は伝送路としてのＬＡＮ２０を介して該当の現場機器７、８、９に送信される。なお、便宜上図示は省略したが、ＬＡＮ２０には現場端末装置が接続され、現場機器７、８、９は現場端末装置を介してＬＡＮ２０に接続されて制御される。
このような信号保安システムの動作試験を実施する場合、信号保安システムを実際に稼働できる構成にして試験を行うようにしていた。すなわち、電子連動装置１を接続し、また接続すべき現場機器を全て接続して行う。この場合、全ての現場機器を接続できない場合には、模擬的な現場機器を接続して試験を行っていた。
【０００３】
しかしながら、すべての現場機器あるいは模擬的な現場機器を実際に接続するには、機器を準備するための時間や費用が必要であり、また配線作業に多大な時間を有する。
このような問題点を改善するため、例えば、特開２０００−１５９１０７号公報に記載される従来の信号保安システムの試験装置では、試験条件に基づいて現場機器の状態を模擬する機器状態模擬手段、およびその模擬状態を伝送路を介して現場端末装置に送信すると共に試験状態を受信するための送受信手段を有した現場模擬部を備える。このように、現場模擬部の機器状態模擬手段にて現場機器を模擬させ、制御指令に対して実際の現場機器と同様の応答をさせることで、信号保安システムの試験時に、全ての現場機器または模擬的な現場機器を接続する必要がなく、試験効率を向上できる。
【０００４】
【発明が解決しようとする課題】
ところで、現場機器を増設する際、増設機器の動作確認を含む信号保安システム全体の整合性を試験することが必要である。また、実際の現場機器を接続して信号保安システムの試験をするには、列車の運行に支障のない深夜などの限られた時間帯にしか試験できない。
従来の信号保安システムの試験装置は、以上のように構成されているため、接続しない現場機器がある場合の試験を可能にするものであるが、現場機器を増設するための信号保安システムの試験については考慮されておらず、このため、現場機器を増設するために、信号保安システムの信頼性の高い試験を限られた時間条件の中で効率的に行うことは困難であった。
【０００５】
この発明は、上記のような問題点を解消するために成されたものであって、信号保安システムに現場機器を増設するための信頼性の高い試験を、列車運行に支障のない限られた時間条件の中で、効率的に行える試験装置の構造を提供することを目的とする。
【０００６】
【課題を解決するための手段】
この発明に係る請求項１記載の信号保安システムの試験装置は、電子連動装置からの伝送路を介した制御指令により、信号機、転てつ機等の現場機器を制御する信号保安システムの試験装置であって、上記伝送路を模擬する伝送路模擬手段と、該伝送路模擬手段を介した上記電子連動装置からの制御指令に基づいて上記現場機器の模擬状態を生成する現場機器模擬手段とを備え、上記伝送路に接続された既設現場機器と上記伝送路に接続予定の未設現場機器との２種の現場機器を種別毎に適宜選択した組み合わせを上記現場機器模擬手段で模擬させることにより複数の試験モードを備え、該複数の試験モードの１つを、上記既設現場機器を上記伝送路を介した上記電子連動装置からの制御指令により動作させ、上記未設現場機器のみを上記現場機器模擬手段にて模擬させた事前動作確認試験を行う試験モードとしたものである。
【０００７】
この発明に係る請求項２記載の信号保安システムの試験装置は、請求項１において、上記事前動作確認試験を行う試験モードを第２の試験モードとし、上記既設現場機器と上記未設現場機器とを上記現場機器模擬手段で模擬させ、上記未設現場機器を接続するための事前整合性確認試験を行う第１の試験モードと、上記未設現場機器を上記伝送路に接続して、該未設現場機器と上記既設現場機器とを上記伝送路を介した上記電子連動装置からの制御指令により動作させ、上記未設現場機器を接続した最終動作確認試験を行う第３の試験モードとを備えたものである。
【０００８】
この発明に係る請求項３記載の信号保安システムの試験装置は、請求項１において、上記事前動作確認試験を行う試験モードを、上記未設現場機器を接続するための事前整合性確認を含む事前動作確認試験を行う第１の試験モードとし、上記未設現場機器を上記伝送路に接続して、該未設現場機器と上記既設現場機器とを上記伝送路を介した上記電子連動装置からの制御指令により動作させ、上記未設現場機器を接続した最終動作確認試験を行う第２の試験モードを備えたものである。
【０００９】
この発明に係る請求項４記載の信号保安システムの試験装置は、請求項２または３において、上記複数の試験モードを組み合わせて、試験モードの若い番号順に複数回の試験を行うものである。
【００１０】
【発明の実施の形態】
実施の形態１．
以下、この発明の実施の形態１を図について説明する。図１はこの発明の実施の形態１による信号保安システムの試験装置の構成を示すブロック図である。図において、１は、駅構内において列車の安全運転を行うために現場機器を制御操作する電子連動装置である。ここで７〜９は既設の現場機器である信号機、転てつ機および軌道回路であり、１０は未設現場機器としての増設予定の現場機器（転てつ機）である。電子連動装置１からの制御指令は伝送路としてのＬＡＮ２０を介して該当の現場機器７〜９に送信される。なお、便宜上図示は省略したが、ＬＡＮ２０には現場端末装置が接続され、現場機器７〜９は現場端末装置を介してＬＡＮ２０に接続されて制御される。また、２は現場機器７〜９に接続される伝送路２０を模擬する伝送路模擬手段、３は、現場機器を模擬する現場機器模擬手段であり、伝送路模擬手段２を介した電子連動装置１からの制御指令に基づいて現場機器の模擬状態を生成する。この現場機器模擬手段３は、電子連動装置１に接続された伝送路模擬手段２とＬＡＮ４を介して接続されている。
【００１１】
このように構成される信号保安システムの試験装置は、後述する３種の試験モードを備えて、現場機器１０を増設するための試験を３段階に分けて試験する。
まず、第１の試験モードは、現場機器７〜９と増設する現場機器１０との双方を現場機器模擬手段３で模擬させて、増設する現場機器１０を接続するための事前整合性確認試験を行う試験モードである。次に、第２の試験モードは、増設する現場機器１０を現場機器模擬手段３で模擬させると共に、現場機器７〜９をＬＡＮ２０を介した電子連動装置１からの制御指令により動作させて、増設する現場機器１０を模擬させた事前動作確認試験を行う試験モードである。最後に、第３の試験モードは、増設する現場機器１０を伝送路２０に接続して、全ての現場機器７〜１０をＬＡＮ２０を介した電子連動装置１からの制御指令により動作させ、最終動作確認試験を行う試験モードである。
【００１２】
このような３種の試験モードによる試験時の動作について、以下に詳述する。
まず、第１の試験モードを用いた試験を、試験装置の構成を示す図１と、動作フローチャートを示す図２とに基づいて説明する。
電子連動装置１にＬＡＮ２０を介して現場機器７〜９を接続されたシステムに対し、システム内の電子連動装置１にＬＡＮ２０を模擬する伝送路模擬手段２を接続し（ｓ１）、伝送路模擬手段２と現場機器模擬手段３との間で情報を送受信できるように、伝送路模擬手段２と現場機器模擬手段３とをそれぞれＬＡＮ４に接続する（ｓ２、ｓ３）。次に現場機器模擬手段３を、増設する現場機器１０を含む全ての現場機器７〜１０を模擬するように構成し、伝送路模擬手段２を介した電子連動装置１からの制御指令に基づいて現場機器７〜１０の模擬を開始する（ｓ４）。続いて現場機器模擬手段３による現場機器７〜１０の模擬動作を実施することにより、増設する現場機器１０を含めたシステム全体の総合的な動作での整合性を確認する事前整合性確認試験を行う。なお、この事前整合性確認試験は、実際に接続されている現場機器７〜９およびＬＡＮ２０を用いずに模擬動作のみにより整合性を確認するものである（ｓ５）。この確認試験で整合性が確認できれば第１の試験モードを用いた試験を終了し（ｓ６）、異常があれば、原因を追及して全体構成を再構築した後（ｓ７）、ｓ４に戻って再度、事前整合性確認試験を行う。
【００１３】
上記のような第１の試験モードでの事前整合性確認試験が終了し、整合性が確認されると、次いで第２の試験モードを用いた試験を行う。この第２試験モードを用いた試験について、試験装置の構成を示す図３と、動作フローチャートを示す図４とに基づいて以下に説明する。
まず、電子連動装置１にＬＡＮ２０を介して現場機器７〜９を接続されたシステムに対し、システム内の電子連動装置１にＬＡＮ２０を模擬する伝送路模擬手段２を接続し（ｔ１）、伝送路模擬手段２と現場機器模擬手段３との間で情報を送受信できるように、伝送路模擬手段２と現場機器模擬手段３とをそれぞれＬＡＮ４に接続する（ｔ２、ｔ３）。次に現場機器模擬手段３を、増設する現場機器１０を模擬するように構成し、伝送路模擬手段２を介した電子連動装置１からの制御指令に基づいて現場機器１０の模擬を開始すると共に、実際の現場機器７〜９に対してもＬＡＮ２０を介した電子連動装置１からの制御指令により動作させる（ｔ４）。続いて現場機器模擬手段３による増設する現場機器１０の模擬動作と、実際の現場機器７〜９の動作とにより、増設する現場機器１０の模擬動作による事前動作確認試験を行う（ｔ５）。この確認試験で正常な模擬動作が確認できれば第２の試験モードを用いた試験を終了し（ｔ６）、異常があれば、現場機器模擬手段３の現場機器１０に対応する部分を再構成した後（ｔ７）、ｔ４に戻って再度、事前動作確認試験を行う。
【００１４】
上記のような第２の試験モードでの事前動作確認試験は、第１の試験モードでの整合性が確認された結果を踏まえた上で為されているため、増設する現場機器１０の模擬動作を試験するもので、異常が検出されれば、現場機器模擬手段３の現場機器１０に対応する部分を再構成すればよい。
この第２の試験モードでの事前動作確認試験で異常が検出されて、現場機器模擬手段３を再構成すると、必要に応じて増設する現場機器１０を調整し、次段階の第３の試験モードを用いた試験を行う。この第３試験モードを用いた試験について、試験装置の構成を示す図５と、動作フローチャートを示す図６とに基づいて以下に説明する。
【００１５】
まず、試験装置内の電子連動装置１から伝送路模擬手段２を切り離し（ｕ１）、さらに、伝送路模擬手段２と現場機器模擬手段３とをそれぞれＬＡＮ４から切り離す（ｕ２、ｕ３）。次に、増設する現場機器１０をＬＡＮ２０に接続し、全ての現場機器７〜１０に対してＬＡＮ２０を介した電子連動装置１からの制御指令により動作させる（ｕ４）。続いてこの現場機器７〜１０の動作により、増設する現場機器１０を接続した最終動作確認試験を行う（ｕ５）。この確認試験で正常な動作が確認できれば第３の試験モードを用いた試験を終了し（ｕ６）、異常があれば、増設する現場機器１０を再調整して確認し（ｕ７）、ｕ４に戻って再度、最終動作確認試験を行う。
【００１６】
このような第３の試験モードでの最終動作確認試験は、第１の試験モードでの事前整合性確認試験、および第２の試験モードでの、増設する現場機器１０の模擬動作による事前動作確認試験による結果を踏まえた上で為されているため、増設する現場機器１０の動作部分のみを確認すれば良く、短時間で試験することができ、異常が検出した場合の再調整、再試験も容易で短時間で行える。
このように、まず増設対象の現場機器１０と接続せず、事前に必要な試験を行うことで、増設する現場機器１０を実際に接続して試験する時間を大幅に短縮することができ、列車運行に支障のない限られた時間条件の中で、効率的に試験が行える。また、試験を３段階に分けて行うため、不具合、問題点の箇所が明確になり、信頼性の高い試験が行えると共に、各段階での試験が効率良く行え、全体の試験時間も短縮できる。
【００１７】
なお、上記実施の形態では、試験装置は３種の試験モードを備えるものとしたが、現場機器７〜９と増設する現場機器１０との双方を現場機器模擬手段３で模擬させて、増設する現場機器１０を接続するための事前整合性確認試験を行う試験モードと、増設する現場機器１０を伝送路２０に接続して、現場機器７〜１０をＬＡＮ２０を介した電子連動装置１からの制御指令により動作させ、最終動作確認試験を行う試験モードとの２種の試験モードを持つようにして、２段階の試験を行うようにしても良い。この場合、上記実施の形態で示した場合よりも最終動作確認試験の時間は若干長くなるが、従来のものに比して同様の効果を有する。
【００１８】
また、増設する現場機器１０を現場機器模擬手段３で模擬させると共に、現場機器７〜９をＬＡＮ２０を介した電子連動装置１からの制御指令により動作させて、事前整合性確認を含む事前動作確認試験を行う試験モードと、増設する現場機器１０を伝送路２０に接続して、現場機器７〜１０をＬＡＮ２０を介した電子連動装置１からの制御指令により動作させ、最終動作確認試験を行う試験モードとの２種の試験モードを持つようにして、２段階の試験を行うようにしても良い。この場合、第１段階での試験で、上記実施の形態の第１、第２の試験モードの双方の確認試験を行うため、この第１段階での試験時間は若干長くなるが、従来のものに比して同様の効果を有する。
【００１９】
【発明の効果】
以上のようにこの発明に係る請求項１記載の信号保安システムの試験装置は、電子連動装置からの伝送路を介した制御指令により、信号機、転てつ機等の現場機器を制御する信号保安システムの試験装置であって、上記伝送路を模擬する伝送路模擬手段と、該伝送路模擬手段を介した上記電子連動装置からの制御指令に基づいて上記現場機器の模擬状態を生成する現場機器模擬手段とを備え、上記伝送路に接続された既設現場機器と上記伝送路に接続予定の未設現場機器との２種の現場機器を種別毎に適宜選択した組み合わせを上記現場機器模擬手段で模擬させることにより複数の試験モードを備え、該複数の試験モードの１つを、上記既設現場機器を上記伝送路を介した上記電子連動装置からの制御指令により動作させ、上記未設現場機器のみを上記現場機器模擬手段にて模擬させた事前動作確認試験を行う試験モードとしたため、上記未設現場機器を増設するために、信頼性の高い効率的な試験を実施することができる。
【００２０】
またこの発明に係る請求項２記載の信号保安システムの試験装置は、請求項１において、上記事前動作確認試験を行う試験モードを第２の試験モードとし、上記既設現場機器と上記未設現場機器とを上記現場機器模擬手段で模擬させ、上記未設現場機器を接続するための事前整合性確認試験を行う第１の試験モードと、上記未設現場機器を上記伝送路に接続して、該未設現場機器と上記既設現場機器とを上記伝送路を介した上記電子連動装置からの制御指令により動作させ、上記未設現場機器を接続した最終動作確認試験を行う第３の試験モードとを備えたため、増設現場機器を実際に接続して試験する時間を大幅に短縮することができ、列車運行に支障のない限られた時間条件の中での効率的な試験が可能になる。また、不具合、問題点の箇所が明確になり、信頼性の高い試験が行える。
【００２１】
またこの発明に係る請求項３記載の信号保安システムの試験装置は、請求項１において、上記事前動作確認試験を行う試験モードを、上記未設現場機器を接続するための事前整合性確認を含む事前動作確認試験を行う第１の試験モードとし、上記未設現場機器を上記伝送路に接続して、該未設現場機器と上記既設現場機器とを上記伝送路を介した上記電子連動装置からの制御指令により動作させ、上記未設現場機器を接続した最終動作確認試験を行う第２の試験モードを備えたため、増設現場機器を実際に接続して試験する時間を短縮することができ、列車運行に支障のない限られた時間条件の中での効率的な試験が可能になる。また、不具合、問題点の箇所が明確になり、信頼性の高い試験が行える。
【００２２】
この発明に係る請求項記載の信号保安システムの試験装置は、請求項２または３において、上記複数の試験モードを組み合わせて、試験モードの若い番号順に複数回の試験を行うため、増設現場機器を実際に接続して試験する時間を短縮できて試験の効率性が格段と向上すると共に、不具合、問題点の箇所が明確になり、信頼性の高い試験が行える。
【図面の簡単な説明】
【図１】  この発明の実施の形態１による第１の試験モードでの信号保安システムの試験装置の構成図である。
【図２】  この発明の実施の形態１による第１の試験モードの動作フローチャートである。
【図３】  この発明の実施の形態１による第２の試験モードでの信号保安システムの試験装置の構成図である。
【図４】  この発明の実施の形態１による第２の試験モードの動作フローチャートである。
【図５】  この発明の実施の形態１による第３の試験モードでの信号保安システムの試験装置の構成図である。
【図６】  この発明の実施の形態１による第３の試験モードの動作フローチャートである。
【図７】  駅構内の信号保安システムの構成を示すブロック図である。
【符号の説明】
１  電子連動装置、２  伝送路模擬手段、３  現場機器模擬手段、
７〜９  既設現場機器、１０  未設現場機器としての増設する現場機器、
２０  伝送路としてのＬＡＮ。
【図１】
0003894839.tif 000002
【図２】
0003894839.tif 000003
【図３】
0003894839.tif 000004
【図４】
0003894839.tif 000005
【図５】
0003894839.tif 000006
【図６】
0003894839.tif 000007
【図７】
0003894839.tif 000008